(57)【要約】  手持ち式真空掃除装置（１００）は、円筒形状である細長いハウジング（１２２）を含む。ハウジング（１２２）は、入口開口部（１０８）、内部（１２４）および排気口（１１８）を画定する。ハウジング（１２２）は、内部（１２４）内に、使用中取り外し可能塵溜めレセプタクル（１１５）が位置するレセプタクル受容チャンバ（１１２）をさらに画定する。レセプタクル受容チャンバ（１１２）は断面において実質的に円形であり、かつ断面において内部（１２４）の直径の実質的な全体を含む。装置（１００）は、内部（１２４）に位置するフローインデューサ（１１７）を含む。使用中、フローインデューサ（１１７）は、入口開口部（１０８）からチャンバ（１１２）内のレセプタクル（１１５）を通り、フローインデューサ（１１７）を通って排気開口部（１１８）へ空気流を誘導する。【選択図】図４
2021515673.tif 000002
【特許請求の範囲】
【請求項１】
円筒形状である細長いハウジングを含み、前記ハウジングは入口開口部、内部および排気口を画定し、前記ハウジングは、前記内部内で使用中取り外し可能塵溜めレセプタクルが位置するレセプタクル受容チャンバをさらに画定し、前記レセプタクル受容チャンバは断面において実質的に円形であり、断面において前記内部の直径の実質的な全体を含み、前記装置が前記内部に位置するフローインデューサを含み、それにより、使用中前記フローインデューサが、前記入口開口部から前記レセプタクル受容チャンバ内の前記レセプタクルを通り、前記フローインデューサを通って前記排気口へ空気流を誘導する、手持ち式真空掃除装置。
【請求項２】
前記ハウジングが長手方向軸を有し、前記入口開口部、前記レセプタクル、前記チャンバおよび前記フローインデューサの各々が、前記長手方向軸に沿って、または前記長手方向軸に平行に整列している、請求項１に記載の装置。
【請求項３】
前記レセプタクル、前記チャンバおよび前記フローインデューサが、前記長手方向軸に沿って整列している、請求項２に記載の装置。
【請求項４】
前記フローインデューサが、前記長手方向軸からオフセットしており、かつ前記長手方向軸に平行に位置する、請求項２に記載の装置。
【請求項５】
前記ハウジングが長手方向軸を有し、前記入口開口部が円形であり、かつ前記長手方向軸を中心とする、請求項１ないし請求項４のいずれか一項に記載の装置。
【請求項６】
前記装置が、その最長軸が前記長手方向軸に平行に延在するように前記フローインデューサと並んで位置する電力貯蔵器を含む、請求項２またはそれに従属するいずれかの請求項に記載の装置。
【請求項７】
前記装置が、前記入口開口部から離れた前記ハウジングの端部から外向きに延在するハンドルを含む、請求項１ないし請求項６のいずれか一項に記載の装置。
【請求項８】
前記ハンドルが使用中ユーザによって把持される把持部分を含み、前記把持部が前記ハウジングの長手方向軸に対してある角度で延在する長手方向軸を有する長さを有し、前記角度が少なくとも４５°であり、少なくとも６７．５°であり得、および９０°以下である、請求項２またはそれに従属するいずれかの請求項に従属するときの請求項７に記載の装置。
【請求項９】
前記把持部分が、前記長さのある部分が前記ハウジングの長手方向軸の両側に延在するように配設されている、請求項８に記載の装置。
【請求項１０】
前記フローインデューサがモータおよびファンを含み、前記モータがブラシレスＤＣモータである、請求項１ないし請求項９のいずれか一項に記載の装置。
【請求項１１】
前記装置が、前記レセプタクルと前記フローインデューサとの間の空気流シーケンスに位置する空気清浄フィルタを含み、前記フローインデューサの後に空気流シーケンスに位置する空気清浄フィルタを含み得る、請求項１ないし請求項１０のいずれか一項に記載の装置。
【請求項１２】
前記装置が、コードレス真空掃除装置であり、かつスティック型のコードレス真空掃除装置であり得る、請求項１ないし請求項１１のいずれか一項に記載の装置。
【請求項１３】
前記装置が空気流路を画定する付属品を含み、前記装置が組み立てられた状態と分解した状態との間で可動であり、前記組み立てられた状態では、前記付属品が前記ハウジングに取り付けられ、前記流路が前記入口開口部と気流連通しており、前記分解した状態では、前記付属品が前記ハウジングから取り外されて、前記流路が前記入口開口部と気流連通しておらず、前記付属品がスティック状、棒状、またはポール状の延長管を含み、前記延長管が前記組み立てられた状態で前記ハウジングの前記長手方向軸に沿って整列する長手方向軸を有する、請求項２またはそれに従属するいずれかの請求項に記載の装置。
【請求項１４】
前記ハウジングが本体およびカバーを含み、前記カバーが開状態と閉状態との間で可動であり、前記開状態では、前記レセプタクルを前記チャンバから取り外すことができる、請求項１ないし請求項１３のいずれか一項に記載の装置。
【請求項１５】
前記ハウジングまたは前記ハウジングの一部が炭素繊維で形成されている、請求項１ないし請求項１４のいずれか一項に記載の装置。
【請求項１６】
前記本体が炭素繊維で形成されている、請求項１５に記載の装置。
【請求項１７】
前記レセプタクルが通気性であり、通気性材料で形成され得、集塵袋を備え得る、請求項１ないし請求項１６のいずれか一項に記載の装置。
【請求項１８】
床などの表面を掃除する方法であって、真空掃除装置を提供することを含み、前記装置が細長いハウジングを含み、前記ハウジングが入口開口部、内部および排気口を画定し、前記ハウジングが、前記内部内に、使用中取り外し可能塵溜めレセプタクルが位置するレセプタクル受容チャンバをさらに画定し、前記装置が前記内部に位置するフローインデューサを含み、それにより、使用中前記フローインデューサが前記入口開口部から前記チャンバ内の前記レセプタクルを通り、前記フローインデューサを通って前記排気口へ空気流を誘導する、方法。
【請求項１９】
前記装置が請求項１ないし請求項１７のいずれか一項で定義された前記特徴のいずれかを含む、請求項１８に記載の方法。
【発明の詳細な説明】
【技術分野】
【０００１】
本発明は、真空掃除装置に関する。
【背景技術】
【０００２】
ここ数年の真空掃除機市場は、急速にコードレス掃除機に移行してきている。特に、時には「ポール式真空掃除機」としても知られる、スティック型真空掃除機は、その使い勝手の良さから人気が出てきている。これらの真空掃除機は、典型的には、伝統的な直立型掃除機よりも軽量であり、充電可能バッテリによって電力供給されるコードレスである。より軽量で、電源ケーブルがないため、コード付きの伝統的な直立型掃除機よりも、使用の容易性、および柔軟性が向上する。世帯主は、多くの場合、例えば、階上の寝室での局所的な使用のために、階上に重いコード付き真空掃除機を運ぶ作業を避けるために、伝統的な重いコード付き真空掃除機に加えて、これらの真空掃除機のうちの１つを購入する。
【０００３】
従来、スティック型真空掃除機は、「床用具」として知られる、動力付きまたは受動的床掃除用具に吸引、およびおそらく動力を伝達する、スティック延長管（ポールまたは棒としても知られる）を含む。スティック型真空掃除機は、主としてバッグレスであり、すなわち、それらは、ダストを収集して、空気を排出する前に、空気からダストを分離するように、サイクロン、または同様のフィルタシステムを使用する。しかしながら、特に、フィルタシステムのサイズおよび重量の制約は、バッグレススティック型掃除機が、より重い大型の従来のバッグレス真空掃除機よりも相対的に効率が悪いことを意味する。
【０００４】
発明の説明
本発明の第１の態様によれば、真空掃除装置が提供され、この装置は、細長いハウジングを含み、ハウジングが、入口開口部、内部および排気開口部を画定し、ハウジングが、内部内に、使用中、取り外し可能な塵留めレセプタクルが配置されるレセプタクル受容チャンバをさらに画定し、装置が、内部に配置されているフローインデューサを含み、それにより、使用中、フローインデューサが、入口開口部から、チャンバ内のレセプタクルを通って、フローインデューサを通って排気開口部へ空気流を誘導する。
【０００５】
おそらく、ハウジングは、長手方向軸を有する。おそらく、入口開口部、レセプタクル、チャンバ、およびフローインデューサの各々は、長手方向軸に沿って、または平行に整列されている
【０００６】
おそらく、ハウジングは、円筒形である。
【０００７】
おそらく、入口開口部は、円形であり、長手方向軸を中心とし得る。
【０００８】
おそらく、レセプタクルは、内部から取り外し可能である。おそらく、レセプタクルは、通気性があり、通気性材料で形成され得る。おそらく、レセプタクル集塵袋を備える。
【０００９】
おそらく、レセプタクルは、レセプタクルチャンバ内に配置されている。
【００１０】
おそらく、レセプタクルチャンバは、断面において実質的に円形であり、断面において内部の直径の実質的に全体を含み得る。
【００１１】
おそらく、フローインデューサは、長手方向軸からオフセットされ、かつ平行に配置されている。
【００１２】
おそらく、装置は、バッテリ、おそらく充電式バッテリを備え得る、電力貯蔵器を含む。おそらく、電力貯蔵器は、その最長軸が長手方向軸と平行に延在するように、配置されている。おそらく、電力貯蔵器は、フローインデューサと並んで配置されている。
【００１３】
おそらく、装置は、ハウジングから外向きに延在し得、かつ入口開口部から離れたハウジングの端部から外向きに延在し得るハンドルを含む。おそらく、ハンドルは、使用中、ユーザによって把持される、把持部分を含む。おそらく、把持部分は、ハウジングの長手方向軸に対してある角度で延在する長手方向軸を有する、長さを有する。おそらく、角度は、少なくとも４５°であり、少なくとも６７．５°であり得る。おそらく、角度は、９０°以下である。おそらく、把持部分は、長さの一部がハウジングの長手方向軸の両側に延在するように、配設されている。
【００１４】
おそらく、フローインデューサは、モータおよびファンを含む。モータは、ブラシレスＤＣモータであり得る。
【００１５】
おそらく、装置は、レセプタクルとフローインデューサとの間の空気流シーケンスに配置されている空気清浄フィルタを含む。おそらく、装置は、フローインデューサの後の空気流シーケンスに配置されている空気清浄フィルタを含む。
【００１６】
おそらく、装置は、手持ち式コードレス真空掃除装置である。おそらく、装置は、スティック型の手持ち式コードレス真空掃除装置である。
【００１７】
おそらく、装置は、空気流路を画定し得る、付属品を含む。おそらく、装置は、組み立てられた状態と分解された状態との間で移動可能である。おそらく、組み立てられた状態では、付属品は、ハウジングに取り付けられており、かつ通路は、入口開口部と気流連通している。おそらく、分解された状態では、付属品は、ハウジングから取り外されており、通路は、入口開口部と気流連通していない。
【００１８】
おそらく、付属品は、スティック状、または棒状、またはポール状の延長管を含み、床用具を含み得る。延長管は、組み立てられた状態では、ハウジングの長手方向軸に沿って整列し得る、長手方向軸を有し得る。
【００１９】
おそらく、ハウジングは、本体およびカバーを含む。おそらく、カバーは、開状態と閉状態との間で移動可能である。おそらく、開状態では、レセプタクルは、チャンバから取り外すことができる。
【００２０】
おそらく、ハウジング、またはハウジングの一部は、炭素繊維で形成されている。おそらく、本体は、炭素繊維で形成されている。
【００２１】
本発明の第２の態様によれば、床などの表面を掃除する方法が提供され、この方法は、真空掃除装置を提供することを含み、装置は細長いハウジングを含み、ハウジングは、入口開口部、内部および排気開口部を画定し、ハウジングは、内部内に、使用中、取り外し可能な塵留めレセプタクルが配置されている、レセプタクル受容チャンバをさらに画定し、装置は、内部に配置されているフローインデューサを含み、それにより、使用中、フローインデューサが、入口開口部から、チャンバ内のレセプタクルを通って、フローインデューサを通って排気開口部へ空気流を誘導する。
【００２２】
おそらく、装置は、前出の説明、または以下の記載のいずれかに記載されている特徴のいずれかを含む。おそらく、方法は、前出の説明、または以下の記載のいずれかに記載されているステップのうちのいずれかを含む。
【図面の簡単な説明】
【００２３】
ここで、実施形態は、例としてのみ、添付の図面を参照して、記載される。
【図１】スティック状または棒状の延長管、および床用具を備える付属品を有する、組み立てられた状態の真空掃除装置の側面図である。
【図２】図１の真空掃除装置の相対的に拡大された斜視図である。
【図３】分解された状態における装置の斜視図である。
【図４】カバーが閉状態にある、分解された状態での装置の側面断面図である。
【図５】カバーが開状態にある、分解された状態での装置の側面断面図である。図面では、同一の、または類似の特徴の複数の事例が存在する場合、明確にするために、特徴の事例の代表的な１つ、またはいくつかのみが、参照番号とともに提供されている。
【発明を実施するための形態】
【００２４】
図１〜図５は、真空掃除装置１００を示す。装置１００は、細長いハウジング１２２を含む。ハウジング１２２は、入口開口部１０８、内部１２４、および排気開口部１１８を画定する。ハウジング１２２は、内部１２４内に、使用中、取り外し可能な塵留めレセプタクル１１５が配置されている、レセプタクル受容チャンバ１１２をさらに画定する。装置１００は、内部１２４に配置されているフローインデューサ１１７を含む。
【００２５】
使用中、フローインデューサは、入口開口部１０８（図４の矢印Ｘ）からチャンバ１１２内のレセプタクル１１５を通って、フローインデューサ１１７を通って（図４の矢印Ｙ）、排気開口部１１８へ空気流を誘導する（図４の矢印Ｚ）。
【００２６】
ハウジング１２２は、長手方向軸１４０を有する。入口開口部１０８、レセプタクル１１５、チャンバ１１２、およびフローインデューサ１１７の各々は、長手方向軸に沿って、または平行に整列されている。
【００２７】
ハウジング１２２は、本体１０２およびカバー１０４を含む。カバー１０４は、本体１０２に移動可能に取り付けられ、開状態と閉状態との間で移動可能である。開状態では、レセプタクル１１５は、チャンバ１１２から取り外すことができる。
【００２８】
ハウジング１２２は、円筒形であり、端部１０２Ａおよび１０２Ｂを有する。カバー１０４は、前端部１０２Ａである、端部の１つを備える。後端部１０２Ｂである、他の端部は、本体１０２の一部として一体的に形成されるか、または別個に形成されるが、本体１０２に固定することができ、保守目的、例えば、フローインデューサ１１７へのアクセスのためにおそらく取り外し可能である。
【００２９】
示された実施例では、入口開口部１０８は、長手方向軸１４０を中心とする、円形である
【００３０】
レセプタクル１１５は、内部１２４から取り外し可能である。レセプタクル１１５は、通気性材料で形成されているため、通気性がある。レセプタクル１１５は、集塵袋１１４を備える。
【００３１】
使用中、レセプタクル１１５は、レセプタクルチャンバ１１２内に配置されている。
【００３２】
レセプタクルチャンバ１１２は、断面において実質的に円形であり、断面において内部１２４の直径の実質的に全体を含む。
【００３３】
フローインデューサ１１７は、長手方向軸１４０からわずかにオフセットされ、平行に、かつ近接して配置されている。フローインデューサ１１７は、真空ポンプ１１６を備える。真空ポンプ１１６は、モータを備え、出願人は、従来のブラシ付きモータと比較して、相対的に小型で、効率的で、低ノイズで、かつメンテナンスが少ないＤＣブラシレスモータであり得ることが有利であることを見出した。真空ポンプ１１６は、空気流を誘導するファンを備え、ファンは、モータによって駆動される。
【００３４】
装置１００は、図示の例では、充電式バッテリ１２７を備える電力貯蔵器１２６を含む。電力貯蔵器１２６は、その最長軸が長手方向軸１４０と平行に延在するように配置され、電力貯蔵器１２６は、フローインデューサ１１７と並んで配置されている。
【００３５】
装置１００は、入口開口部１０８から離れたハウジング１２２の端部から、ハウジング１２２から外向きに延在するハンドル１２０を含む。ハンドル１２０は、使用中ユーザによって把持される把持部分１２８を含む。把持部分１２８は、長さと、ハウジング長手方向軸１４０に対して角度１３０で延在する長手方向軸１２９と、を有する。一実施例では、角度１３０は、少なくとも４５°であり、最適には少なくとも６７．５°であるが、９０°以下である。
【００３６】
把持部分１２８は、長さの一部がハウジングの長手方向軸１４０の両側に延在するように配設されている。これは、使用中、把持部分がユーザによって把持され、ユーザの腕（図１の参照番号１４２）が真っ直ぐに伸ばされたときに、図１に示されるように、ユーザの腕１４２、ハウジング１２２、およびスティック延長管１１０が長手方向軸１４０に沿って整列され得ることを意味する。この構成では、スティック延長管１１０の長さが最短化され、所与の長さ／リーチの重量が減少し、ユーザの手および腕１４２が、人間工学的に正しい位置にある。
【００３７】
装置１００は、チャンバ１１２とフローインデューサ１１７との間の空気流シーケンスに配置されている空気清浄インデューサフィルタ１３６を含むことができる。装置１００は、フローインデューサ１１７の後の、排気開口部１１８で、またはその直前の空気流シーケンスに配置されている排気空気清浄フィルタ１３８を含むことができる。
【００３８】
装置１００は、空気流路１３３を画定する付属品１３２を含む。装置１００は、組み立てられた状態と分解された状態との間で移動可能である。組み立てられた状態では、付属品１３２は、ハウジング１２２に取り付けられており、通路１３３は、入口開口部１０８と気流連通している。分解された状態では、付属品１３２は、ハウジング１２２から取り外されており、通路１３３は、入口開口部１０８と気流連通していない。
【００３９】
一実施例では、図１および図２に示すように、装置１００は、スティック型の手持ち式コードレス真空掃除装置である。付属品１３２は、スティック（または棒状もしくはポール状）延長管１１０、および床用具１３４を含む。延長管１１０は、組み立てられた状態では、ハウジング１２２の長手方向軸１４０に沿って整列する長手方向軸１１１を有する。
【００４０】
ハウジング１２２は、地面などに偶発的に落下した場合の破損を防止するために、プラスチック材料などの硬くて軽量な材料で作製することができ、真空掃除装置１００の全体の重量を最小限に抑えながら、携帯性および操作性を向上させる。
【００４１】
一実施例では、本体１０２は、例えば、高密度ポリエチレン（ＨＤＰＥ）などの、硬質プラスチック材料で作製することができる。
【００４２】
一実施例では、ハウジング１２２、またはハウジング１２２の一部は、軽量かつ高強度を提供するように、炭素繊維で形成されている。別の実施例では、本体１０２は、炭素繊維で形成されている。
【００４３】
閉状態では、カバー１０４は、本体１０２と密封係合されている。一実施例では、カバー１０４は、ピボットマウンティング１０５によって本体１０２に枢動可能に取り付けることができる。
【００４４】
カバー１０４は、本体１０２と同じ材料で作製することができるが、他の実施例では、カバー１０４は、制限なしに、本体１０２の構築のために使用されているものとは異なる材料で作製することができる。いくつかの実施例では、カバー１０４は、本体１０２の内部を外部から見ることができるように、半透明のプラスチックなどであるが、これに限定されない、半透明または透明な材料で作製され得る。
【００４５】
装置１００は、例えば、真空掃除装置１００の動作中に、カバー１０４が偶発的に開くことを防止するために、カバー１０４が本体１０２に対してロックされ得るように、ラッチ１０６を含む。一実施例では、ラッチ１０６は、オーバセンタラッチであり得る。
【００４６】
いくつかの実施例では、装置１００は、付属品１３２との係合、およびその固定のために、入口開口部１０８に、またはその近くに配置されている係合構造１０９を含むことができる。
【００４７】
内部１２４では、チャンバ１１２は、入口開口部１０８に隣接して位置し、それにより、入口開口部１０８は、本体１０２の内部のチャンバ１１２に直接開いて、それと流体連通する。本実施例では、チャンバ１１２は、その中に集塵袋１１４を収容するように適合されている。見ての通り、集塵袋１１４は、その開放口で前端部１０２Ａに向かってチャンバ１１２に取り付けられ得る。
【００４８】
集塵袋１１４を取り付けるために、ユーザは、（図５に示すように）カバー１０４を開き、例えば、フックまたはクリップ（図示せず）などの好適な接続手段によって集塵袋１１４をチャンバ１１２に取り付け得る１つ以上の実施例では、集塵袋１１４は、任意の塵、または破片粒子を捕捉し得るが、空気がそこを通過することを可能にし得る、通気性バッグである。
【００４９】
内部１２４では、真空ポンプ１１６は、後端部１０２Ｂに向かってチャンバ１１２の後ろに位置付けられ得る。排気開口部１１８は、真空ポンプ１１６の後方、および後端部１０２Ｂに向かって配置され得る。
【００５０】
使用中、真空ポンプ１１６は作動され、チャンバ１１２および集塵袋１１４の内部に負圧を生成し、これにより、床用具１３４を通り、通路１３３に沿ってスティック延長管１１０を通り、入口開口部１０８を通り、それによりチャンバ１１２内の集塵袋１１４に、空気流を引き込む。空気流は、床などの掃除に伴う塵および破片を運ぶ。空気流は、チャンバ１１２、具体的にはその中の集塵袋１１４を通過する。吸引された空気中の塵および破片粒子は、多孔性集塵袋１１４によって捕捉され、濾過された空気は、排気口１１８を介して、真空ポンプ１１６によって大気に排出される。
【００５１】
掃除操作後、必要に応じて、集塵袋１１４は、カバー１０４を開くことによって洗浄、またはその交換のために取り外され、その後、チャンバ１１２の内部に再び取り付けられ得る。
【００５２】
有利には、従来の真空掃除機よりも小型かつ軽量であるが、フィルタシステムにおいて集塵袋を使用することは、より大型の真空掃除機と比較して効率の損失がないことを意味し、実際には以下で説明されるように反対である。
【００５３】
装置１００の主要コンポーネントを長手方向軸１４０に沿って、またはそれに平行に、かつ近接して配設することは、いくつかの利点を提供する。本体１０２内では、空気流は、実質的に線形であり、それにより圧力降下が減少し、効率が向上する。これらのコンポーネントは、装置１００のサイズおよび重量を低減するために、互いに近接している。コンポーネントは、ハンドル１２０に近接しているので、ユーザの手および腕１４２への負担は、軽減される。コンポーネントは、スティック延長管１１０と整列しており、ユーザの手から所与の距離に、延長管の長さを短縮する。より重いコンポーネント（すなわち、モータおよびバッテリ）は、ユーザの手に近く、より軽いコンポーネント（集塵袋）は、より遠くに離れており、ユーザの手および腕１４２への梃子の作用による負担をここでも軽減する。
【００５４】
ブラシレスＤＣモータの使用はまた、装置がより小型、より軽量、より効率的になることを可能にする。
【００５５】
装置１００は、スティック延長管１１０に加えて、異なるタイプの付属品１３２、例えば、より近い作業のためのより短い延長管、ハウジングに直接適合する、掃除ヘッドなどを含むことができる。
【００５６】
他の修正
本発明の範囲から逸脱することなく、様々な他の修正を行うことができる。装置およびその様々なコンポーネントは、任意の好適なサイズおよび形状であり得、（本明細書の特定の定義の範囲内で）任意の好適な材料で形成され得る。
【００５７】
いくつかの実施例では、レセプタクル１１５は、湿ったおよび乾いた破片の収集に好適であるように配設され得る。
【００５８】
したがって、従来の配設に勝る多くの利点を有する真空掃除装置が提供される。
【図１】
2021515673.tif 000003
【図２】
2021515673.tif 000004
【図３】
2021515673.tif 000005
【図４】
2021515673.tif 000006
【図５】
2021515673.tif 000007
【国際調査報告】
2021515673.tif 000008
2021515673.tif 000009